(57)【要約】【課題】携帯通信端末に蓄積した着メロ，着うたなどのデータをそのまま利用して大音量の出力が可能で、目覚まし停止も操作性が良好で確実に行うことができる携帯通信端末連動目覚まし時計装置を提供する。【解決手段】充電／通信ケーブル６と音声ケーブル７を時計装置と携帯電話機の間に接続し、設定した時刻になった場合、時計装置１は携帯電話機８の専用アプリケーションを起動させる制御信号を送る。携帯電話機８で再生される予め指定されている着メロ，着うたのアナログ信号は音声ケーブルを介して時計装置１に送られ、スピーカ１０より出力される。受話器４を持ち上げることによりフックボタン５がオフし、目覚まし音としての着メロなどを停止させることができる。【選択図】        図１
2006324780.tif 000002
【特許請求の範囲】
【請求項１】
携帯通信端末の通信ケーブルを接続するための端子および音声ケーブルを接続するための端子または携帯通信端末と通信するための通信部を有し、
楽曲またはボイスを出力すべき時刻を設定する時刻設定手段と、
目覚まし機能をオンする目覚まし機能設定手段と、
前記目覚まし機能オンの場合、前記設定した時刻になったとき前記通信ケーブルまたは前記通信部を介して携帯通信端末の専用アプリケーションを起動させ、この専用アプリケーションの起動によって予め携帯通信端末に格納している楽曲またはボイスを前記音声ケーブルまたは前記通信部を介して送信させる目覚まし時計起動手段と、
前記携帯通信端末から送られた楽曲またはボイスを出力するスピーカと、
目覚まし機能によるスピーカ出力を停止するための操作手段と、
前記操作手段による停止操作によって、前記スピーカの出力を停止するとともに前記専用アプリケーションに対し楽曲またはボイスの送信を停止させる出力停止手段と、
を備えたことを特徴とする携帯通信端末連動目覚まし時計装置。
【請求項２】
前記操作手段は、受話器であり、該受話器を外したとき、前記スピーカ出力を停止するとともに前記専用アプリケーションに対し楽曲またはボイスの送信を停止させることを特徴とする請求項１記載の携帯通信端末連動目覚まし時計装置。
【請求項３】
携帯通信端末から入力されるオーディオ信号を前記目覚まし機能がオンで設定時刻になったときのみ前記スピーカより出力させる安眠モードと、
携帯通信端末から入力されるオーディオ信号を前記目覚まし機能がオンで設定時刻になったとき以外にも前記スピーカより出力させる待機モードと、
前記安眠モードと待機モードとを切替選択できるモード切替手段と、
を備えたことを特徴とする請求項１または２記載の携帯通信端末連動目覚まし時計装置。
【発明の詳細な説明】
【技術分野】
【０００１】
本発明は、携帯電話機などの携帯通信端末を接続し、目覚まし時計機能によって設定時刻になったとき携帯通信端末に予め蓄積されている着メロ（株式会社鷹山の登録商標），着うた（株式会社ソニー・ミュージックエンタテインメントの登録商標），着ボイスを送出させて当該装置のスピーカから出力させる携帯通信端末連動目覚まし時計装置に関する。
【背景技術】
【０００２】
一般的な電子式の目覚まし時計では、予め記憶させた音声や音、音楽などを目覚ましの発生音として利用するのが一般的であり、楽曲をパソコン経由で登録できるものもあるが、その操作にパソコンの知識を必要とするため、誰でも使えるというわけではない。
また携帯電話が持つタイマー機能により、内部の曲やボイスを目覚ましの発生音として利用する事も可能であるが、音量の限界や、止めるとき機械が小さいので寝起き状態での操作がしずらいという問題がある。
【０００３】
特許文献１はパソコンを用いた目覚まし時計の従来例を示すものである。
このシステムは、目覚まし時計と携帯電話をケーブルまたは無線で通信を行い、目覚まし時計のＩＣ等の記憶媒体に携帯電話を介して目覚まし音データ提供サーバから目覚まし音データを蓄積するもので、目覚まし時計は設定した時刻に記憶媒体の音データを再生するものである。
【特許文献１】特開２００３−９０８８９号公報
【発明の開示】
【発明が解決しようとする課題】
【０００４】
このシステムは、目覚まし時計のメモリに目覚まし音データサーバからダウンロードした音データを記憶し、これを目覚ましの設定時刻に出力するものであり、例えば、他の着メロ，着うたを出力させたい場合には、携帯電話を介して目覚まし音データサーバからダウンロードしメモリの内容を変えておく必要があり、操作が煩わしいという欠点がある。
本発明は上記諸問題を解決するもので、その目的は、携帯通信端末に蓄積した着メロ，着うたなどのデータをそのまま利用して大音量の出力が可能で、目覚まし停止も操作性が良好で確実に行うことができる携帯通信端末連動目覚まし時計装置を提供することにある。
【課題を解決するための手段】
【０００５】
前記目的を達成するために本発明の請求項１は、携帯通信端末の通信ケーブルを接続するための端子および音声ケーブルを接続するための端子または携帯通信端末と通信するための通信部を有し、楽曲またはボイスを出力すべき時刻を設定する時刻設定手段と、目覚まし機能をオンする目覚まし機能設定手段と、前記目覚まし機能オンの場合、前記設定した時刻になったとき前記通信ケーブルまたは前記通信部を介して携帯通信端末の専用アプリケーションを起動させ、この専用アプリケーションの起動によって予め携帯通信端末に格納している楽曲またはボイスを前記音声ケーブルまたは前記通信部を介して送信させる目覚まし時計起動手段と、前記携帯通信端末から送られた楽曲またはボイスを出力するスピーカと、目覚まし機能によるスピーカ出力を停止するための操作手段と、前記操作手段による停止操作によって、前記スピーカの出力を停止するとともに前記専用アプリケーションに対し楽曲またはボイスの送信を停止させる出力停止手段とを備えたことを特徴とする。
本発明の請求項２は、請求項１記載の発明において前記操作手段は、受話器であり、該受話器を外したとき、前記スピーカ出力を停止するとともに前記専用アプリケーションに対し楽曲またはボイスの送信を停止させることを特徴とする。
本発明の請求項３は、請求項１または２記載の発明において携帯通信端末から入力されるオーディオ信号を前記目覚まし機能がオンで設定時刻になったときのみ前記スピーカより出力させる安眠モードと、携帯通信端末から入力されるオーディオ信号を前記目覚まし機能がオンで設定時刻になったとき以外にも前記スピーカより出力させる待機モードと、前記安眠モードと待機モードとを切替選択できるモード切替手段とを備えたことを特徴とする。
【発明の効果】
【０００６】
上記構成によれば、今日多くの者が使用している携帯電話をこの装置に接続することにより、携帯電話が内部に有する着メロなどの為にダウンロードしてきた楽曲やボイスを設定時間に大音量で再生することにより目覚ましとしての機能を実現すると共に、充電台や電話装置としても使用が可能となる。
【発明を実施するための最良の形態】
【０００７】
以下、図面を参照して本発明の実施の形態を詳しく説明する。
図１は、本発明による携帯通信端末連動目覚まし時計装置（以下、「時計装置」という）の外観を示す斜視図、図２は、該時計装置の回路の実施の形態を示すブロック図である。
時計装置１に接続されている充電／通信ケーブル６のコネクタ６ａが、携帯電話機８側の充電／通信ケーブル接続端子６ｂに接続され、コマンドなどの制御信号の送受や、電力の供給が行われる。このケーブル６は携帯電話機の機種に応じて数種類用意されている。また、時計装置１の音声入力端子７ｃと携帯電話機８の音声出力端子７ｂの間も音声ケーブル７で接続され、携帯電話機８からの着メロ，着うたなどの音声出力信号が時計装置１に送られるようになっている。
【０００８】
時計装置１の電源回路２６は電源ケーブル９により家庭用コンセントに接続され給電される。時計装置１に携帯電話機８が接続されている場合は電源回路２６から通信部２８，充電／通信ケーブル６を介して携帯電話機８へも給電される。バッテリー２７を内蔵しており、電源ケーブル９が家庭用コンセントに接続されていない場合、バッテリー２７は電源回路２６を介して時計装置１および携帯電話機８に給電する。電源ケーブル９が接続されている場合にはバッテリー２７は充電される。
【０００９】
時計装置１には一般固定電話にある受話器４とプッシュボタン（テンキー）３が設けられており、受話器４と０〜９までの数字のプッシュボタン３を使用すれば、発信会話や着信会話をする事が可能である。これにより、携帯電話機８より扱い易い大きなボタンと受話器で会話を行うことができる。これは目覚まし音発生中でない時に可能な機能で、受話器４をとる（受話器の下側に設置されているフックボタン５がオフする）ことにより電話番号入力待ち状態へ、接続されている携帯電話機８が移行し、時計装置１のプッシュボタン３の数字ボタンを押すことにより、接続されている携帯電話機８にも同様の数字が入力される。
【００１０】
時計装置１は液晶表示部２を有しており、時刻，目覚まし設定情報などが表示され、さらに上記電話番号入力時にはその番号が表示される。
時計装置１の正面左下部には、目覚まし機能を設定するための設定ボタン１４が、正面の前面側にはスピーカ１０が設置されている。また、時計装置１の右側面にはモード切替スイッチ１１，音量スイッチ１２，スヌーズスイッチ１３が配置されている。モード切替スイッチ１１は、目覚ましＯＦＦ，待機モードまたは安眠モードに切り替えるためのスライドスイッチである。音量スイッチ１２はスピーカ１０から出力される音量を調整するためのスライドスイッチである。スヌーズスイッチ１３は目覚まし音を停止する操作をしない限り、所定時間間隔でその都度音量を増大させて目覚ましの着メロなどを繰り返し発生させる機能をオン，オフするスイッチである。
【００１１】
図２における携帯電話機８の回路は、本発明に直接関連する部分のみを記載してあり、電話機能，無線および有線の通信機能に関する制御を司るＣＰＵ４０，時計装置１と通信を行う通信部４２，携帯電話用のネットワークサーバからダウンロードした着メロなどの楽曲，ボイス（着メロ，着うた）などを格納する記憶部４３並びに時計装置１からのコマンド（制御信号）を受信して記憶部４３に格納されている着メロなどを指定して読み出し、読み出した着メロなどを通信部４２によって時計装置１に送出する専用ソフトを格納するＲＯＭ４１を有している。
【００１２】
一方、時計装置１は、携帯電話機と通信を行う通信部２８，液晶表示部２を駆動する駆動回路２４，前述した電源回路２６，内蔵バッテリー２７並びに音量スイッチ１２の操作によってスピーカ１０の音量を調節できる機能を有する内蔵アンプ２１を備えている。さらにテンキー３，モード切替スイッチ１１，スヌーズスイッチ１３およびフックボタン５からの信号を受信する操作制御部２９，本時計装置１の制御を司るソフトを格納するＲＯＭ２２，データなどの一時格納やＣＰＵでの演算の作業領域として用いられるＲＡＭ２３並びにＣＰＵ２０を備えている。
ＣＰＵ２０は、ＲＯＭ２２から読み出される制御ソフトを実行することにより各スイッチで設定された情報を監視し、設定情報を満たすとその実行を指示する設定情報実行部２０ａ，設定されたモードを判定し、判定したモードの内容を実行制御するモード判定制御部２０ｂ並びに設定された目覚まし時刻になったか否かを監視し、設定時刻になったとき、目覚まし機能を起動する目覚まし時計起動部２０ｃの各機能を有している。
【００１３】
つぎに時計装置の目覚まし時刻設定機能の起床時間を設定する操作を図３を用いて説明する。
ユーザが設定ボタン１４を押すと、その信号はＣＰＵ２０に送られ、ＣＰＵ２０は目覚まし時刻設定モードに移行する（ステップ（以下「Ｓ」という）１）。この状態でユーザがテンキー３を押して起床時間を入力すると、液晶表示部２にはその時刻表示がなされ、起床時刻をセットすることができる（Ｓ２）。音量スイッチ１２を操作して音量を切り替え、スピーカ１０から基本目覚まし音を発生させることにより、適切の音量を確認することができる（Ｓ３）。このようにして起床時刻および目覚まし音量のセットが完了した後、設定ボタン１４を押すことにより、目覚まし時刻設定モードを解除する（Ｓ４）。
【００１４】
図４は目覚まし機能の流れを説明するためのフローチャートである。
まず、携帯電話機８と時計装置１を充電／通信ケーブル６と音声ケーブル７で接続する（Ｓ１０）。モード切替スイッチ１１を操作して目覚ましＯＦＦから待機モードまたは安眠モードに切り替え、目覚まし機能を有効にする（Ｓ１１）。ここで待機モードとは携帯電話機８から入力される音声（アナログのオーディオ信号）が、時計装置１の目覚まし機能が働いているとき以外でも時計装置１のスピーカ１０より再生させるモードである。この待機モードは目覚まし機能が働いているときと同様、入力される音声を内蔵アンプ２１で増幅させることにより目覚まし機能と同じ音量レベルで再生され、音も大きい。また、安眠モードとは携帯電話から入力される音声が、時計装置の目覚まし機能が働いているときのみ時計装置１のスピーカ１０より再生させるモードである。着信音などを出力させないので安眠できる。
【００１５】
時計装置１の目覚まし時計起動部２０ｃは、設定時刻（起床時刻）になったか否かを監視し、設定時刻になると、充電／通信ケーブルを介し携帯電話機に専用アプリケーションを起動するように指示する（Ｓ１２，Ｓ１３）。携帯電話機８のＣＰＵ４０はＲＯＭ４１より専用アプリケーション（ソフト）を読み出し、専用アプリケーションを起動する。起動されたアプリケーションは事前に設定されている着メロ，着うた，着ボイスなどの音声データを一定時間繰り返し再生する（Ｓ１４）。これら着メロ，着うた，着ボイスなどの事前設定ではリスト形式で複数設定することが可能で、リストのアイテムをループ再生するモードやランダム再生モードなど様々な設定が可能である。
このように再生された音声は音声ケーブル７を介して時計装置１の音量調節機能内蔵アンプ２１に送られ、音量スイッチ１２で設定されている音量でスピーカ１０より出力される（Ｓ１５）。
【００１６】
ＣＰＵ２０の設定情報実行部２０ａは、停止ボタンが押された（フックボタンがオフ）か、モード切替スイッチが目覚ましＯＦＦか、または規定時間（例えば３０分）鳴りつづけた場合には時計装置１からの音声出力を停止させる。すなわち、内蔵アンプ２１の出力を停止させる（Ｓ１６，Ｓ１７）。同時に充電／通信ケーブル６を介して携帯電話機８に対し専用アプリケーションを終了し、待ち受け状態になるように指示する（Ｓ１８）。
ついで、スヌーズスイッチがＯＮか、ＯＦＦかを判定する（Ｓ１９）。ＯＦＦでない場合には３分後にＳ１３に戻って再度、携帯電話機の専用アプリケーションを起動するように指示する（Ｓ２０）。スヌーズスイッチがＯＦＦの場合にはモード切替スイッチ１１が目覚ましＯＦＦか否かを判定する（Ｓ２１）。目覚ましＯＦＦの場合には目覚まし機能の動作を終了させる。目覚ましＯＦＦでない場合には翌日の起床時刻（設定時刻）まで待機し、その時点でモードが変わっていなければＳ１３に移行し（Ｓ２２）、目覚まし機能を起動する。
【００１７】
なお、時計装置１の内蔵アンプ２１は送られてくる音声の音量に関係なく、これを時計装置側で設定した何種類かの設定音量へ自動的に調整し出力するため、携帯電話機側の音量設定を目覚まし用に変えることなく使用可能となる。
【００１８】
図５は、本発明による目覚まし時計装置と携帯電話機の他の接続方式を説明するための図である。
（ａ）は携帯電話機３２がブルートゥース通信部３８を有している場合、時計装置３３側にもブルートゥース通信部３９を設け、無線通信により制御信号を送受信したり、音声信号を受信するようにしたものである。
（ｂ）は携帯電話機３６を充電する携帯電話機アダプタ（クレードル）３４に携帯電話機３６を装着したときに、携帯電話機の通信部端子と音声出力端子を接続する端子部を設けたものである。携帯電話機アダプタ３４をケーブル３７によって時計装置３５の接続端子に接続してある。この実施の形態も図１，図２と同様、ケーブルにより制御信号を送受信したり、音声信号を受信することができる。上記（ａ），（ｂ）の携帯電話機および時計装置は通信手段を除き、他の構成部は図１，図２で示した実施の形態と同じである。
【００１９】
以上の実施の形態は、時計装置に受話器を設けた例を示したが、受話器を設けることなく、再生音声を停止するためのスイッチボタンを設けても良い。かかる場合、時計装置から携帯電話機経由で発着信を行うものではないので、テンキーを省略することができる。
携帯通信端末として携帯電話機の実施の形態を示したが、その他にＰＨＳ，ＰＤＡなどに対して同様に適用することができる。なお、ＰＤＡについては通信機能を有し、通信機能を使って再生すべき楽曲，ボイスなどを格納できるメモリ部を有する必要がある。また通信機能を持たなくても、メモリ部に直接的に楽曲，ボイスなどを格納できる機能を有するものであれば良い。
【産業上の利用可能性】
【００２０】
携帯電話機にダウンロードされている着メロなどを再生し、再生アナログ信号を送信させて通常のスピーカにより再生アナログ信号の目覚まし音を出力させる携帯通信端末連動目覚まし時計装置である。
【図面の簡単な説明】
【００２１】
【図１】本発明による携帯通信端末連動目覚まし時計装置の外観を示す斜視図である。
【図２】本発明による携帯通信端末連動目覚まし時計装置の回路の実施の形態を示すブロック図である。
【図３】起床時刻の設定の手順を説明するためのフローチャートである。
【図４】目覚まし機能を実行するための操作および動作の流れを説明するためのフローチャートである。
【図５】本発明による目覚まし時計装置と携帯電話機の他の接続方式を説明するための図である。
【符号の説明】
【００２２】
１，３３，３５  携帯通信端末連動目覚まし時計装置  
２  液晶表示部  
３  テンキー  
４  受話器  
５  フックボタン
６  充電／通信ケーブル
７  音声ケーブル
８，３２，３６  携帯電話機
９  電源ケーブル
１０  スピーカ
１１  モード切替スイッチ
１２  音量スイッチ
１３  スヌーズスイッチ
１４  設定ボタン
１５  電源プラグ
２０  ＣＰＵ
２１  音量調節機能内蔵アンプ
２２  ＲＯＭ
２３  ＲＡＭ
２４  駆動回路
２６  電源回路  
２７  バッテリー
２８  通信部
２９  操作制御部
３０  バス
３４  携帯電話機アダプタ
３７  ケーブル
３８，３９  ブルートゥース通信部
【図１】
2006324780.tif 000003
【図２】
2006324780.tif 000004
【図３】
2006324780.tif 000005
【図４】
2006324780.tif 000006
【図５】
2006324780.tif 000007